(57)【要約】【課題】視聴者が見易く、目の疲労が少ない画像を表示装置が表示することが可能な画像処理装置を提供する。【解決手段】３次元の画像と２次元の画像と同時にマルチ画面で表示可能な画像処理装置において、表示装置に３次元の画像と２次元の画像を同時に表示させる場合には、３次元の画像を２次元の画像に変換して出力し、同一の次元の画像で同一の画面に表示させる。またあるいは、本発明の画像処理装置は、３次元の画像と２次元の画像と同時にマルチ画面で表示可能な画像処理装置において、表示装置に３次元の画像と２次元の画像を同時に表示させる場合には、２次元の画像を３次元の画像に変換して出力し、同一の次元の画像で同一の画面に表示させる。【選択図】図４
2011182075.tif 000002
【特許請求の範囲】
【請求項１】
複数の映像信号源から、３次元または２次元の映像信号をそれぞれ入力し、所定の処理をした画像として出力する画像処理部と、前記入力される映像信号を１つの画面に同時に表示するための表示位置情報を出力する表示位置処理部と、前記表示位置情報に基づいて前記画像処理部からそれぞれ入力された画像を表示装置の表示パネル面に表示するために重ね合わせ処理を実行する重ね合わせ処理部と、前記画像処理部、前記表示位置処理部、および重ね合わせ処理部を、ユーザの操作に応じて制御する制御部とを備え、前記３次元の画像を前記左目用の画像と前記右目用の画像とを交互に出力し、前記２次元画像と同時に表示するための画像データを出力することを特徴とする画像処理装置。
【請求項２】
請求項１記載の画像処理装置において、前記重ね合わせ処理部は、前記３次元の画像と前記２次元の画像の表示が前記３次元の画像の立体視の中心ラインに、前記２次元の画像の横方向の中心が一致するように配置されることを特徴とする画像処理装置。
【請求項３】
請求項１または請求項２のいずれかに記載の画像処理装置において、前記立体視の中心ラインは、前記表示パネル面に主画面と副画面とを表示し、前記主画面の前記３次元の画像の前記立体視の中心ラインであることを特徴とする画像処理装置。
【請求項４】
請求項１乃至請求項３のいずれか１つに記載の画像処理装置において、前記重ね合わせ処理部は、前記ユーザの操作に応じて前記表示パネル面に表示される３次元画像を２次元の画像に変換することを特徴とする画像処理装置。
【請求項５】
請求項３または請求項４のいずれかに記載の画像処理装置において、前記重ね合わせ処理部は、前記ユーザの操作に応じて前記主画面を前記表示パネル面の中央部に表示させる場合には、副画面の画像を縮小表示することを特徴とする画像処理装置。
【請求項６】
請求項１乃至請求項５のいずれか１つに記載の画像処理装置において、前記重ね合わせ処理部は、前記表示パネル面の左端部若しくは右端部に配置された３次元画像の位置を、左端部の場合には前記右目用の画像を内側に所定距離移動し、右端部の場合には前記左目用の画像を内側に所定距離移動することを特徴とする画像処理装置。
【請求項７】
請求項６記載の画像処理装置において、前記重ね合わせ処理部は、内側にずらすと同時に、前記画像の左右のサイズを拡大して表示することを特徴とする画像処理装置。
【請求項８】
請求項６記載の画像処理装置において、前記重ね合わせ処理部は、内側にずらすと同時に、前記画像の左右のサイズを縮小して表示することを特徴とする画像処理装置。
【請求項９】
請求項６乃至請求項８に記載の画像処理装置において、前記重ね合わせ処理部は、前記表示パネル面と前記ユーザとの距離に応じて、前記所定距離を変更することを特徴とする画像処理装置。
【請求項１０】
請求項１乃至請求項９の少なくともいずれか１つに記載の画像処理装置において、前記重ね合わせ処理部は、前記表示パネル面に３次元表示される３次元の画像がある場合には、同時に表示される２次元の画像の文字および記号の字体を太字若しくは１段階大きな大きさに変更することを特徴とする画像処理装置。
【請求項１１】
請求項１乃至請求項１０の少なくともいずれか１つに記載の画像処理装置において、前記重ね合わせ処理部は、前記表示パネル面の３次元画像の左目用画像と右目用画像とを同じ画像で出力することを特徴とする画像処理装置。
【請求項１２】
請求項１乃至請求項１１の少なくともいずれか１つに記載の画像処理装置において、前記ユーザはシャッターメガネまたは偏光メガネによって前記３次元の画像を立体視可能であることを特徴とする画像処理装置。
【請求項１３】
請求項１記載の画像処理装置において、前記３次元の画像と前記２次元の画像の表示が前記表示パネル面の横方向の中心ラインに縦に並ぶように配置されことを特徴とする画像処理装置。
【発明の詳細な説明】
【技術分野】
【０００１】
本発明は、表示装置に関し、特に、３次元と２次元の一方または両方を同時に表示する画像処理装置に関する。
【背景技術】
【０００２】
従来、表示装置に表示された画像から、人間等の視聴者が立体像を知覚するための１つとして、左右に映る像のずれを利用する手段がある。
図１は、平面型表示装置の略構成を示す斜視図である。１００は平面型表示装置、１１０は表示パネル面、１２０はベゼル、１３０は背面カバー、１４０は表示パネル面１１０の左右方向の中心線である。平面型表示装置１００は、例えば、地上波デジタル放送の番組や、映像記録再生機からの映像を表示するテレビ受像機である。
図１において、視聴者は、表示パネル面１１０を前面から見て表示された画像を見る。
【０００３】
図２は、左右の目に映る像のずれを利用して３次元の画像として知覚させるための従来例を説明するための図である。図２は、３次元の画像を正常な視聴位置から見た場合の左目と右目との結像位置について説明する図である。２１０は表示装置、２１１は表示パネル面、２３０は視聴者、２３１は視聴者２３０の左目、２３３は視聴者２３０の右目、２５０は結像位置ａ、２５１は左目用映像表示位置ａ、２５３は右目用映像表示位置ａ、２７０は結像位置ｂ、２７１は左目用映像表示位置ｂ、２７３は右目用映像表示位置ｂ、２４０は立体視中心ラインである。図２は、上方から視聴者２３０と表示装置２１０を見た図で、紙面横方向が左から右への（Ｘ）方向、紙面上下方向が背面から前面へのＹ方向を示す。また、図２では、立体視中心ライン２４０を表示パネル面２１１の中心線（図１の中心線１４０参照）としている。
【０００４】
図２に示すように、左目２３１と右目２３３は、それぞれ、表示パネル面２１１の異なる位置の画像を見ている。そして、視聴者２３０は、左目２３１から見た左目用映像表示位置ａ２５１と右目２３３から見た右目用映像表示位置ａ２５３とで、結像位置ａ２５０にその画像ａが有るように見る。同様に、視聴者２３０は、左目２３１から見た左目用映像表示位置ｂ２７１と右目２３３から見た右目用映像表示位置ｂ２７３とで、結像位置ｂ２７０にその画像ｂが存在するように見える。即ち、２次元の映像が、すべて表示パネル面２１１で結像するのに対し、３次元の画像は、結像位置が異なる複数の画像として見えるために、視聴者は、３次元の画像としてとらえることができる。
この場合、視聴者２３０の両目（左目２３１と右目２３３の中心位置）が、まっすぐ表示装置２１０の立体視中心ライン上を通る位置にある。
一般的に３次元の画像は、視聴者が正常な視聴位置にいる場合に、正常に立体画像を見せるために、画像が表示パネル面２１１に表示されるように設定されている。
【０００５】
しかし、図３に示すように、視聴者２３０の両目が立体視中心ライン上から大きく離れた位置にあった場合には、本来の物体の位置と異なる位置に、物体が結像され、不自然な３次元の画像が見える。図３は、図２と同様に、左右の目に映る画像のずれを利用して３次元の画像として知覚させるための従来例を説明するための図である。図３は、３次元の画像を正常な視聴位置ではない位置から見た場合の、左目と右目との結像位置について説明する図である。図２と同じ構成要素には同じ参照番号を付し、説明を省略する。３３０は視聴者、３３１は視聴者３３０の左目、３３３は視聴者３３０の右目、３５０は結像位置ａ’、３７０は結像位置ｂ’である。
図３では、視聴者３３０が立体視中心ライン２４０線上からずれた位置にいる。このため、左目３３１が見る画像（位置ａ２５１、位置ｂ２７１）と右３３１が見る画像（位置ａ２５３、位置ｂ２７３）の距離が異なってくる。このため、それぞれの結像位置ａ’３５０と結像位置ｂ’３７０とが正常な結像位置ａ２５０結像位置ｂ２７０とからずれてしまう。従って、視聴者３３０は、不自然な３次元の画像を見ることになる。
【先行技術文献】
【特許文献】
【０００６】
【特許文献１】特開２００７−２８６６２３号公報
【発明の概要】
【発明が解決しようとする課題】
【０００７】
上記図２に示す従来技術で説明したように、視聴者が立体視中心ラインからずれた位置から見た場合には、視聴者は不自然な３次元映像が見える。
また、近年、１つの表示パネル面に、複数の放送番組等、複数の映像源から入力された映像を選択して、マルチ画面表示で見ることが多くなった。
そして、３次元の画像が複数表示されることに対して、それらの画像が別々の立体視中心ラインを有する場合も出てきた。この場合、視聴者は、いずれかまたはすべての３次元の画像が不自然なものに見えてしまう問題がある。
特許文献１には、２次元または３次元を表示する表示システムにおいて、表示モードが２次元から３次元、あるいは、その逆に変わるときに、画像の表示前に駆動モードを変更する記載がある。しかし、２次元と３次元の画像を同じ画面に表示していない。
本発明の目的は、上記のような問題に鑑み、３次元の画像と２次元の画像と同時にマルチ画面で表示可能な画像処理装置において、視聴者が見易く、目の疲労が少ない画像を表示装置が表示することが可能な画像処理装置を提供することにある。
【課題を解決するための手段】
【０００８】
上記の課題を達成するために、本発明の画像処理装置は、３次元の画像と２次元の画像と同時にマルチ画面で表示可能な画像処理装置において、表示装置に３次元の画像と２次元の画像を同時に表示させる場合には、３次元の画像を２次元の画像に変換して出力し、同一の次元の画像で同一の画面に表示させるものである。
またあるいは、本発明の画像処理装置は、３次元の画像と２次元の画像と同時にマルチ画面で表示可能な画像処理装置において、表示装置に３次元の画像と２次元の画像を同時に表示させる場合には、２次元の画像を３次元の画像に変換して出力し、同一の次元の画像で同一の画面に表示させるものである。
【０００９】
即ち、本発明の画像処理装置は、複数の映像信号源から、３次元または２次元の映像信号をそれぞれ入力し、所定の処理をした画像として出力する画像処理部と、前記入力される映像信号を１つの画面に同時に表示するための表示位置情報を出力する表示位置処理部と、前記表示位置情報に基づいて前記画像処理部からそれぞれ入力された画像を表示装置の表示パネル面に表示するために重ね合わせ処理を実行する重ね合わせ処理部と、前記画像処理部、前記表示位置処理部、および重ね合わせ処理部を、ユーザの操作に応じて制御する制御部とを備え、前記３次元の画像を前記左目用の画像と前記右目用の画像とを交互に出力し、前記２次元画像と同時に表示するための画像データを出力するものである。
【００１０】
上記発明の画像処理装置において、前記重ね合わせ処理部は、前記３次元の画像と前記２次元の画像の表示が前記３次元の画像の立体視の中心ラインに、前記２次元の画像の横方向の中心が一致するように配置されることを特徴とする。
【００１１】
好ましくは、上記発明の画像処理装置において、前記立体視の中心ラインは、前記表示パネル面に主画面と副画面とを表示し、前記主画面の前記３次元の画像の前記立体視の中心ラインであることを特徴とする。
【００１２】
また好ましくは、上記発明の画像処理装置において、前記重ね合わせ処理部は、前記ユーザの操作に応じて前記表示パネル面に表示される３次元画像を２次元の画像に変換することを特徴とする。
【００１３】
好ましくは、上記発明の画像処理装置において、前記重ね合わせ処理部は、前記ユーザの操作に応じて前記主画面を前記表示パネル面の中央部に表示させる場合には、副画面の画像を縮小表示することを特徴とする。
【００１４】
また好ましくは、上記発明の画像処理装置において、前記重ね合わせ処理部は、前記表示パネル面の左端部若しくは右端部に配置された３次元画像の位置を、左端部の場合には前記右目用の画像を内側に所定距離移動し、右端部の場合には前記左目用の画像を内側に所定距離移動することを特徴とする。
【００１５】
好ましくは、上記発明の画像処理装置において、前記重ね合わせ処理部は、内側にずらすと同時に、前記画像の左右のサイズを拡大して表示することを特徴とする。
【００１６】
また好ましくは、上記発明の画像処理装置において、前記重ね合わせ処理部は、内側にずらすと同時に、前記画像の左右のサイズを縮小して表示することを特徴とする。
【００１７】
好ましくは、上記発明の画像処理装置において、前記重ね合わせ処理部は、前記表示パネル面と前記ユーザとの距離に応じて、前記所定距離を変更することを特徴とする。
【００１８】
また好ましくは、上記発明の画像処理装置において、前記重ね合わせ処理部は、前記表示パネル面に３次元表示される３次元の画像がある場合には、同時に表示される２次元の画像の文字および記号の字体を太字若しくは１段階大きな大きさに変更することを特徴とする。
【００１９】
好ましくは、上記発明の画像処理装置において、前記重ね合わせ処理部は、前記表示パネル面の３次元画像の左目用画像と右目用画像とを同じ画像で出力することを特徴とする。
【００２０】
また好ましくは、上記発明の画像処理装置において、前記ユーザはシャッターメガネまたは偏光メガネによって前記３次元の画像を立体視可能であることを特徴とする。
【００２１】
好ましくは、上記発明の画像処理装置において、前記３次元の画像と前記２次元の画像の表示が前記表示パネル面の横方向の中心ラインに縦に並ぶように配置されことを特徴とする。
【発明の効果】
【００２２】
本発明によれば、視聴者が見易く、目の疲労が少ない画像を表示装置が表示することが可能な画像処理装置を提供することができる。
【図面の簡単な説明】
【００２３】
【図１】平面型表示装置の略構成を示す斜視図である。
【図２】３次元の画像を正常な視聴位置から見た場合の左目と右目との結像位置について説明する図である。
【図３】３次元の画像を正常な視聴位置ではない位置から見た場合の、左目と右目との結像位置について説明する図である。
【図４】本発明の画像処理装置の一実施例の構成を示すブロック図である。
【図５】３次元の画像を表示装置４７１に出力する場合の、左目用映像と右目用映像の出力手順について説明するための模式図である。横軸は時間軸である。
【図６】本発明のユーザ操作部４５１の操作パネルの一実施例を示す図である。
【図７】本発明の画像処理装置による切替表示モードの一実施例を説明するための図である。
【図８】本発明の画像処理装置による切替表示モードの一実施例を説明するための図である。
【図９】本発明の画像処理装置による切替表示モードの一実施例を説明するための図である。
【図１０】本発明の画像処理装置による切替表示モードの一実施例を説明するための図である。
【図１１】本発明の映像表示位置の補正の一実施例について説明するための図である。
【図１２】本発明の映像表示位置の補正の一実施例について説明するための図である。
【図１３】本発明の映像表示位置の補正の一実施例について説明するための図である。
【図１４】本発明の映像表示位置の補正の一実施例について説明するための図である。
【図１５】本発明の画像処理装置の一実施例の構成を示すブロック図である。
【発明を実施するための形態】
【００２４】
以下、本発明による最良の形態について、添付の図を用いながら詳細に説明する。なお、すでに説明した図１〜図３を含め、以下の各図において、共通な機能を有する要素には同一符号を付して示し、一度説明したものについては、煩雑と思われる場合には、説明を省略する。
【００２５】
図４によって、本発明の一実施形態である画像処理装置の構成を説明する。図４は、本発明の画像処理装置の一実施例の構成を示すブロック図である。４１０は画像処理装置、４５１はユーザ操作部、４５２は第一映像信号源、４５３は第二映像信号源、４７１は表示装置である。本発明の画像処理装置４１０において、４１１は制御部、４１２と４１３は画像処理部、４１４は表示位置処理部、４１５は重ね合わせ処理部である。画像処理装置４１０は、例えば、ＴＶチューナ、ＴＶチューナ機能を備えた映像記録再生装置、あるいはＳＴＢ（  Ｓｅｔ  Ｔｏｐ  Ｂｏｘ  ）である。また、第一映像信号源４５２や第二映像信号源４５３は、例えば、ＴＶアンテナからの地上波デジタル放送番組の信号電波によるコンテンツの入力、ＣＡＴＶ局からのケーブルを介したコンテンツの入力、カメラからのコンテンツの入力、インターネットブラウザからのコンテンツの入力、あるいは、映像再生装置からのコンテンツの入力であり、映像信号源は、２つに限らない。
【００２６】
図４において、制御部４１１は、ユーザ操作部４５１の制御に応じて、画像処理装置４１０の処理動作として、あらかじめ記憶されたソフトウェアプログラムに従って画像処理装置４１０の各機器と相互にアクセスし、画像処理装置４１０の各機器を制御する。若しくは、制御部４１１は、ユーザ操作部４５１の制御に応じて、画像処理装置４１０の処理動作として、あらかじめ構成されたＦＰＧＡ（  Ｆｉｅｌｄ  Ｐｒｏｇｒａｍａｍａｂｌｅ  Ｇａｔｅ  Ａｒｒａｙ  ）部の処理動作に従って画像処理装置４１０の各機器と相互にアクセスし、画像処理装置４１０の各機器を制御する。
【００２７】
第一映像信号源４５２は、画像処理部４１２に第一映像信号を出力する。同様に、第二映像信号源４５３は、画像処理部４１３に第二映像信号を出力する。
画像処理部４１２は入力された映像を、例えば、ＳＤＴＶ（  Ｓｔａｎｄａｒｄ  Ｄｅｆｉｎｉｔｉｏｎ  Ｔｅｌｅ−Ｖｉｓｉｏｎ  ）方式、ＨＤＴＶ（  Ｈｉｇｈ  Ｄｅｆｉｎｉｔｉｏｎ  Ｔｅｌｅ−Ｖｉｓｉｏｎ  ）方式の等の方式の映像として、重ね合わせ処理部４１５に出力する。同様に、画像処理部４１３もまた、入力された映像を、ＳＤＴＶ方式、ＨＤＴＶ方式の等の方式の映像として、重ね合わせ処理部４１５に出力する。
表示位置処理部４１４は、制御部４１１の制御により、第一映像信号源４５２から入力され画像および第二映像信号源４５３から入力され画像を、表示装置に配置する位置を算出して、算出した表示位置の情報を重ね合わせ処理部４１５に出力する。
【００２８】
重ね合わせ処理部４１５は、画像処理部４１２を介して入力された第一映像信号と画像処理部４１３を介して入力された第二映像信号とを、表示位置処理部４１４から入力された表示位置の情報に基づいて、重ね合わせ、表示装置４７１に出力する。なお、表示位置の情報とは、少なくとも、画像サイズ、および表示位置である。
また、画像処理装置４１０に入力された３次元の画像を２次元の画像に変換する処理、あるいは、そのまま３次元の画像とする処理は、重ね合わせ処理部４１５で実行しても良いし、画像処理部４１２、４１３が処理しても良い。
【００２９】
図５によって、画像処理装置４１０が出力する画像の時間的順番について説明する。図５は、３次元の画像を表示装置４７１に出力する場合の、左目用映像と右目用映像を交互に出力するフレームシーケンシャル方式の出力手順について説明するための模式図である。横軸は時間軸である。
重ね合わせ処理部４１５は、例えば、周期６０［Ｈｚ］で入力される左目用映像５０１、５０３を奇数フレームの映像として、右目用映像５０２を偶数フレームの映像データとして扱い、２倍速（１２０［Ｈｚ］）で、表示装置４７１に順番に表示するために出力する。あるいは、重ね合わせ処理部４１５は、奇数フレームと偶数フレームの映像データの映像データの間に、黒色画像を挿入しながら例えば、４倍速（２４０［Ｈｚ］）で、表示装置４７１に順番に表示するために出力する。黒色画像を挿入することで、フリッカが低減される。
視聴者は、シャッターメガネをかけて表示装置４７１を見る。シャッターメガネは、表示装置４７１に表示される右目用映像と左目用映像の切り替わりに同期して、シャッターメガネの左右を交互に閉じることで視聴者の右目には右目用映像のみが、視聴者の左目には左目用映像のみが見えるようにする。これによって、視聴者は３次元映像をみることが可能となる。但し、シャッターメガネ方式に限定するものでなく、偏光メガネによる３次元映像を視聴する装置であってもよい。
【００３０】
図６によって、図１のユーザ操作部４５１の詳細を説明する。図６は、本発明のユーザ操作部４５１の操作パネルの一実施例を示す図である。６００は操作パネル、６０１は電源ボタン、６０２は“１”〜“１２”のＣＨ番号入力を兼ねる数字キー、６０３は３次元の画像と２次元の画像の変換操作をするための３Ｄ／２Ｄ切替ボタン、６０４はＣＥＮＴＥＲボタン、６０５はカーソル位置移動ボタン、６０６はメニュー（ＭＥＮＵ）ボタン、６０７はマルチ画面切替ボタン、６０８はＣＨ切替ボタン、６０９は音量変更（ＶＯＬ）ボタンである。なおＣＨ番号とは、例えば、ＴＶ番組のチャンネル番号である。
操作パネル６００は、例えば、視聴者が各種ボタン６０２〜６０９を押下することで操作する。操作内容は、赤外線通信等の手段によって、画像処理装置４１０の制御部４１１に伝達される。また、制御部４１１は、その操作内容に基づいて、接続された表示装置４７１に操作結果に応じた画面を表示するように、画像処理装置４１０内の各機器を操作する。
【００３１】
図７、図４、および図６によって、本発明の画像処理装置の動作の一実施例を説明する。図７は、表示装置に表示される画面であって、本発明の画像処理装置による切替表示モードの一実施例を説明するための図である。下記説明では、特に言及しない限り、制御部４１１がその処理を実行する。
図７において、表示装置４７１の画面には、３次元の画像７０１が表示されている。このとき画像７０１には両ＣＨ（右目用映像と左目用映像の両映像）が表示され、ユーザは３次元映像をみることができる。この表示状態のときに、マルチ画面切替ボタン６０７が押下された場合には、矢印７０４が示すように、矢印７１３を経由して、矢印７１３−１または矢印７１３−２を介して、画像７１４か画像７１７に表示が切替わる。
【００３２】
また、表示装置４７１の画面に、２次元の画像７０２が表示されているときに、マルチ画面切替ボタン６０７が押下された場合には、矢印７０５が示すように、画像７０６（２次元表示モード（１））に表示が切替わる。このとき、前回マルチ画面切替ボタン６０７を押下した時に、左側に３次元の画像７０１の番組を選局して画像７０７を表示していたものとする。
画像７０６の左側には３次元の画像７０７が表示され、右側には２次元の画像７０８が表示されている。画像７０７は、画像７０１が縮小表示されたものであり、画像７０８は、画像７０２が縮小表示されたものである。どちらもアスペクト比を等しくして画面全体に２つの画像が表示されるように縮小されている。
また、３次元の画像７０７は、片ＣＨのみ（左目用映像若しくは右目用映像のどちらか一方）を表示する。従って、画像７０６は、どちらも２次元の画像として表示される。
この結果、３次元の画像と２次元の画像が混在していても、視聴者の目の疲労を抑えることができる。
【００３３】
上記画像７０６では、もとから２次元の画像７０８の周囲の枠がデコレーション表示されている。
この状態で、視聴者がユーザ操作装置（操作パネル６００）を操作し、カーソル位置移動ボタン６０５によって左にカーソルを移動させると、矢印７０９が示すように、画像７１０（２次元表示モード（２））に表示が切替わる。
即ち画像７１１の周囲の枠がデコレーション表示される。
なお、本書でデコレーション表示とは、画像の枠に、視聴者が他の画像と区別できるように、着色表示する、枠線を太く表示する、枠線をフラッシュング表示する、アイコンを近くに表示する等、目立つ表示とすることを言う。
【００３４】
そして、矢印７１３と矢印７１３−１が示すように、自動的に所定時間経過後あらかじめ設定された矢印方向に切替わるか、若しくは、視聴者のユーザ操作（ＣＥＮＴＥＲボタン６０４押下）によって、画像７１４（３次元／２次元表示モード（１））に切替わる。
あるいは、矢印７１３と矢印７１３−２が示すように、自動的に所定時間経過後あらかじめ設定された矢印方向に切替わるか、視聴者のユーザ操作（３Ｄ／２Ｄ切替ボタン６０３押下）によって、画像７１７（３次元／２次元表示モード（２））に切替わる。
【００３５】
画像７１４の表示状態は、画像７１５が片ＣＨ（画像７１１）から両ＣＨ表示に切替わり、３次元の画像となっている。また、３次元の画像７１５と２次元の画像７１６の表示が画像７１４の横方向の中心に縦（上下方向）に並ぶように配置される。好ましくは、３次元の画像７１５の立体視の中心ラインに、２次元の画像の横方向の中心が一致するように配置される。また好ましくは、上記画像７１５では、３次元の画像７１５の周囲の枠をデコレーション表示する。一致とは、例えば視聴者の左目と右目の間隔の個体差程度のずれ量程度である。
この表示状態で、視聴者のユーザ操作（３Ｄ／２Ｄ切替ボタン６０３押下）によって、矢印７２０に示すように、画像７１０の表示モード（２次元表示モード（２））に切替わる。
【００３６】
また画像７１７の表示状態は、画像７１８が片ＣＨから両ＣＨ表示に切替わり、３次元の画像となっている。また、２次元の画像７１９の表示位置は、画像７１０と変わらず、一部が重なり、前面に３次元の画像７１８が画面の中央に配置される。好ましくは、３次元の画像７１８の立体視の中心ラインが、画像７１７の横方向の中心に一致するように配置される。一致とは、例えば視聴者の左目と右目の間隔の個体差程度のずれ量程度である。また好ましくは、上記画像７１７では、３次元の画像７１８の周囲の枠をデコレーション表示する。
この表示状態で、視聴者のユーザ操作（３Ｄ／２Ｄ切替ボタン６０３押下）によって、矢印７２１に示すように、画像７１０の表示モード（２次元表示モード（２））に切替わる。
【００３７】
また、画像７１７の表示状態で、自動的に所定時間経過後あらかじめ設定された矢印方向に切替わるか、若しくは、視聴者のユーザ操作（カーソル位置移動ボタン６０５の下移動ボタン押下等）によって、矢印７２２に示すように、画像７２３（３次元／２次元表示モード（３））に切替わる。
この表示状態は、３次元画像７１８の背面に隠れて見えなくなった２次元の画像７１９の画像サイズを小さくして画像７２５として縮小表示して、画像７２４の配置を変更せずに、見えるようにするものである。
その結果、両ＣＨが表示される３次元の画像７２４のほか、２次元の画像７２５の画像全体も見ることができる。
この表示状態で、視聴者のユーザ操作（３Ｄ／２Ｄ切替ボタン６０３押下）によって、矢印７２６に示すように、画像７１０の表示モード（２次元表示モード（２））に切替わる。
【００３８】
図８、図４、および図６によって、本発明の画像処理装置の動作の一実施例を説明する。図８は、表示装置に表示される画面であって、本発明の画像処理装置による切替表示モードの一実施例を説明するための図である。下記説明では、特に言及しない限り、制御部４１１がその処理を実行する。
図８において、表示装置４７１の画面には、３次元の画像８０１が表示されている。この画像８０１は、好ましくは、図７の画像７０１と別の画像である。この状態のときに、マルチ画面切替ボタン６０７が押下された場合には、矢印７０４が示すように、矢印８１３を経由して、矢印８１３−１または矢印８１３−２を介して、画像８１４か画像８１７に表示が切替わる。
【００３９】
また、２次元の画像７０２から画像７０８までは、図７と同一であるので説明を省略する。
この表示状態で、視聴者がユーザ操作装置６００を操作し、数字キー６０２もしくはＣＨ切替ボタン６０８によって選局を行い、３次元映像の番組が選局（例えば３次元画像８０１が選局）されると、矢印８０９が示すように、画像８１０（２次元表示モード（３））に表示が切替わる。
３次元画像８１１は、３次元画像７０７と同一であり、３次元画像の片ＣＨのみが表示されている。３次元画像８１２は、３次元画像８０１の片ＣＨのみが表示されている。これら２つの画像は、画面８１０に収まるようリサイズされて表示されている。  さらに、画像８１２の周囲の枠がデコレーション表示される。なお、視聴者のユーザ操作（カーソル位置移動ボタン６０５の右移動ボタン若しくは左移動ボタンの押下）による選択切替えによって、デコレーション表示される画像は、変更される。
【００４０】
そして、矢印８１３と矢印８１３−１が示すように、自動的に所定時間経過後あらかじめ設定された矢印方向に切替わるか、若しくは、視聴者のユーザ操作（ＣＥＮＴＥＲボタン６０４押下）によって、画像８１４（３次元／２次元表示モード（４））に切替わる。
あるいは、矢印８１３と矢印８１３−２が示すように、自動的に所定時間経過後あらかじめ設定された矢印方向に切替わるか、視聴者のユーザ操作（３Ｄ／２Ｄ切替ボタン６０３押下）によって、画像８１７（３次元表示モード（１））に切替わる。
【００４１】
画像８１４の表示状態は、３次元画像の片ＣＨ表示されている画像８１５の表示位置は、画像８１１と変わらず、一部が画像８１６と重なり、前面に３次元の画像８１６が画面の中央に配置される。３次元の画像８１６は、３次元の片ＣＨのみ表示されている画像８１２が両ＣＨとも表示されるようになった画像である。好ましくは、３次元の画像８１６の立体視の中心ラインが、画像８１４の横方向の中心に一致するように配置される。一致とは、例えば視聴者の左目と右目の間隔の個体差程度のずれ量程度である。また好ましくは、上記画像８１４では、３次元の両ＣＨ表示される画像８１６の周囲の枠をデコレーション表示する。
この表示状態で、視聴者のユーザ操作（３Ｄ／２Ｄ切替ボタン６０３押下）によって、矢印８２０に示すように、画像８１０の表示モード（２次元表示モード（３））に切替わる。
【００４２】
また画像８１７の表示状態は、画像８１８が片ＣＨ（画像８１２）から両ＣＨ表示に切替わり、３次元の画像となっている。同様に、画像８１９が片ＣＨ（画像８１１）から両ＣＨ表示に切替わり、３次元の画像となっている
さらに、３次元の画像８１８と３次元の画像８１９の表示は、共に、画像８１７の横方向の中心に縦（上下方向）に並ぶように配置される。好ましくは、３次元の画像８１８の立体視の中心ラインと、３次元の画像８１９の立体視の中心ラインが一致するように配置される。一致とは、例えば視聴者の左目と右目の間隔の個体差程度のずれ量程度である。また好ましくは、上記画像８１７では、どちらか一方の３次元の画像８１８または８１９の周囲の枠をデコレーション表示する。この選択は、視聴者のユーザ操作（カーソル位置移動ボタン６０５の下移動ボタン押下等）によって、切替えることができる。
この表示状態で、視聴者のユーザ操作（３Ｄ／２Ｄ切替ボタン６０３押下）によって、矢印８２１に示すように、画像８１０の表示モード（２次元表示モード（３））に切替わる。
【００４３】
また、画像８１４の表示状態で、自動的に所定時間経過後あらかじめ設定された矢印方向に切替わるか、若しくは、視聴者のユーザ操作（カーソル位置移動ボタン６０５の下移動ボタン押下等）によって、矢印８２２に示すように、画像８２３（３次元／２次元表示モード（５））に切替わる。
この表示状態は、３次元の両ＣＨ表示画像８１６の背面に隠れて見えなくなった３次元の片ＣＨのみ表示される画像８１５の画像サイズを小さくした画像８２５として縮小表示し、画像８１６の配置を変更せずに画像８２４として、見えるようにするものである。
その結果、３次元の両ＣＨ表示される画像８２４のほか、３次元の片ＣＨのみ表示される画像８２５の画像全体も見ることができる。
この表示状態で、視聴者のユーザ操作（３Ｄ／２Ｄ切替ボタン６０３押下）によって、矢印８２６に示すように、画像８１０の表示モード（２次元表示モード（３））に切替わる。
【００４４】
図９、図４、および図６によって、本発明の画像処理装置の動作の一実施例を説明する。図９は、表示装置に表示される画面であって、本発明の画像処理装置による切替表示モードの一実施例を説明するための図である。下記説明では、特に言及しない限り、制御部４１１がその処理を実行する。
図９において、左側の列（図９（ａ））は、画像処理装置４１０に入力される映像信号源の種類を示す。また、右側の列（図９（ｂ））は、画像処理装置４１０から表示装置４７１に出力される画像（表示モード）の種類を示す。
映像信号源としては、３次元のコンテンツ（画像）として、画像８０１、７０１があり、２次元のコンテンツ（画像）として、画像７０２、画像９０３および画像９０４がある。これらの２次元および３次元の画像の数や画像サイズは図９に示す実施例に限らない。
【００４５】
本発明の画像処理装置４１０は、上記２次元の画像と３次元の画像を入力し、入力されたそれらの画像から選択した２次元と３次元の画像とを表示装置４７１の表示パネルにマルチ画面表示するために、マルチ画像（例えば、画像９０５、画像９１０）を出力する。
【００４６】
画像９０５は、３次元の画像９０６と９０７のそれぞれの横方向の中心線が、表示装置４７１の表示パネルの左右の表示中心線に一致するように、３次元の画像９０６と９０７を垂直方向に並べて表示する。一致とは、例えば視聴者の左目と右目の間隔の個体差程度のずれ量程度である。
このとき、２次元の画像９０８および９０９は、３次元の画像９０７と同一の行に表示している。なお、ｎ個の３次元の画像を表示する場合には、ｎ列垂直に並べて表示して良い（ｎは３以上の自然数）。その場合、２次元の画像は複数行に配置される。
上記実施例によれば、表示装置の中央部に合わせて、３次元の画像をすべて表示することで、どの３次元の画像であっても３次元映像として見易くすることができる。また１つだけが３次元の画像である場合も、３次元の画像を表示装置の中央に合わせて表示するようにすることによって、３次元映像として見易くすることができる。
【００４７】
画像９１０は、３次元の画像９１１と９１２のそれぞれの立体視中心ライン２４０が、表示装置４７１の表示パネル内で一致するように、３次元の画像９１１と９１２を垂直方向に並べて表示する。一致とは、例えば視聴者の左目と右目の間隔の個体差程度のずれ量程度である。
このとき、２次元の画像９１３、９１４、および９１５は、３次元の画像９１１、９１２の横に、縦に並べて列状に表示している。なお、ｎ個の３次元の画像を表示する場合には、ｎ列垂直に並べて表示して良い（ｎは３以上の自然数）。また、２次元の画像を複数列に配置しても良い。
上記実施例によれば、３次元の画像をすべて立体視中心ライン２４０を合わせることで、どの３次元の画像であっても３次元映像として見易くすることができる。また１つだけが３次元の画像である場合も、３次元の画像を立体視中心ラインに合わせて表示するようにすることによって、３次元映像として見易くすることができる。
【００４８】
図１０、図４、および図６によって、本発明の画像処理装置の動作の一実施例を説明する。図１０は、表示装置に表示される画面であって、本発明の画像処理装置による切替表示モードの一実施例を説明するための図である。下記説明では、特に言及しない限り、制御部４１１がその処理を実行する。
図１０において、表示装置４７１の画面には、マルチ画像１００１が表示されている。マルチ画像１００１中には、主画面として、３次元の画像１００２が表示され、その周囲に、副画面として、３次元の画像１００３、２次元の画像１００３〜１００９が配置されている。ただし、画像１００３は、片ＣＨ表示なので２次元画像になっている。
また、画像１００２は、周囲の枠がデコレーション表示されている。
【００４９】
この表示状態のときに、３Ｄ／２Ｄ切替ボタン６０３が押下された場合には、矢印１０１０が示すように、画像１０１１に表示が切替わる。
画像１０１１では、３次元で表示されていた画像１００２が２次元の画像１０１２として表示され、周囲の枠がデコレーション表示されている。
この結果、すべての画像が２次元の画像として表示されるため、３次元の画像と２次元の画像が混在していることがなく、視聴者の目の疲労を抑えることができる。
【００５０】
次に、この表示状態のときに、３Ｄ／２Ｄ切替ボタン６０３が押下された場合には、矢印１０１３が示すように、画像１０１４に表示が切替わる。
画像１０１４では、３次元の片ＣＨのみ表示されるために２次元で表示されていた画像１０１２が両ＣＨ表示される３次元の画像１００２として表示され、周囲の枠がデコレーション表示されている。同時に、副画面のもともと３次元の画像で２次元として表示されていた画像１００３が、３次元の画像１０１５として表示される。
この結果、もともと３次元の画像として入力されたコンテンツ（画像）がすべて３次元の画像として表示される。
【００５１】
この表示状態のときに、３Ｄ／２Ｄ切替ボタン６０３が押下された場合には、矢印１０１６が示すように、画像１００１に表示が切替わる。
このように、３Ｄ／２Ｄ切替ボタン６０３がユーザ操作によって押下される都度、すべて３次元片ＣＨ表示（２次元表示モード（１））、すべて３次元両ＣＨ表示（３次元／２次元表示モード（６））、主画面のみ両ＣＨの３次元表示で他（副画面）の３次元画像は片ＣＨの２次元表示（３次元／２次元表示モード（７））を順次操作で切替える。
【００５２】
また画像１０１４の表示状態（主画面の画像１００２がデコレーション表示）のときに、ユーザ操作により、ＣＨ切替ボタンが押下された場合には、矢印１０１７が示す画像１０１８に示すように、主画面のＣＨが切替る。もし切替ったＣＨの映像が２次元の画像の場合には、主画面の画像は２次元表示となると共に、副画面に表示されていた３次元の画像は、片ＣＨの画像に切替えられ、２次元の画像１００３として表示される。
即ち、最大画面（主画面）のコンテンツ（画像）の種類（３次元画像か２次元画像）に合わせて、副画面の画像の表示か切替えられる。好ましくは、画像の種類は、画像処理装置に入力される映像源の種類によって切替えられる。また好ましくは、画像の種類は、ユーザ操作可能画面（ＣＨ切替ボタン６０８やＶＯＬボタン６０９）に合わせて切替えても良い。
この結果、すべての画像が主画面の画像と同じ２次元の画像として表示されるため、３次元の画像と２次元の画像が混在していることがなく、視聴者の目の疲労を抑えることができる。
さらに好ましくは、画面上に２次元表示であることを表示するようにしても良い。この結果、３Ｄメガネをかけている視聴者は、表示画面が３次元でないことが分かり、３Ｄメガネをかける必要がなくなる。
【００５３】
次に、画像１０１４の表示状態のときに、ユーザ操作により、カーソル位置移動ボタン６０５によって、矢印１０２０に示す画像１０２１のように、デコレーション表示される画像が、副画面の画像１０２２に切替えられたとする。さらにこの場合に、ユーザ操作により、ＣＨ切替ボタンが押下された場合には、矢印１０２０が示す画像１０２１に示すように、副画面のＣＨが切替わる。もし切替わったＣＨの映像が３次元の画像の場合には、矢印１０２３に示す画像１０２４のように、副画面に表示されていた３次元の画像１０２２は、３次元の画像１０２５として、主画面の画像１００２の下方（若しくは上方）に移動して表示される。好ましくは、３次元の画像１０１５と隣接することを避けた位置に移動する。さらに好ましくは、主画面の３次元の画像１００２の立体視中心ラインと副画面の３次元の映像１０２５，１０１５の立体視中心ラインが離れない場所に画像を配置する。
この結果、すべての３次元の画像が、主画面の画像と垂直方向に並べて表示されるため、３次元の画像が見易くなり、視聴者の目の疲労を抑えることができる。
【００５４】
図１１〜図１４によって、本発明の別の実施例を説明する。図１１〜図１４は、図７〜図１０に示した２次元の画像にカーソルがあたっている場合（例えば図７の画像７０８）に、カーソルがあたっていることを視聴者に分かりやすく２次元の画像を３次元の画像として表示する場合について説明する図である。
また図１１以降図１４まで、図２と、Ｙ方向の座標の矢印の向きを逆に図示している。
【００５５】
図１１によって、本発明の別の実施例を説明する。図１１は、表示パネル面２１１に表示される全画像について位置補正を行う場合の一実施例について説明する図である。また図１１は、２次元のコンテンツ（画像１２０１）を拡大して表示パネル面２１１に配置する場合の一実施例である。さらに図１１は、２次元のコンテンツに視差を付ける事で３次元の映像とし、結像位置が表示パネル面２１１とユーザ２３０の間にある場合である。なお、左方向の映像表示位置の補正は、表示パネル面２１１と目を左右対称に考えることで実施可能である。図１１（ａ）は、２次元のコンテンツ（画像１２０１）を示す図である。図１１（ｂ）は、左目用映像についての補正を説明する図、図１１（ｃ）は右目用映像についての補正を説明する図である。図１１（ｄ）は、右目用映像と左目用映像のずれ幅ｂとユーザ２３０の視聴距離Ｌと表示装置からの飛び出し量Ｘとの関係について説明する図である。
図１１では、コンテンツ（画像１２０１：横幅ｍ、高さｈ）が表示装置２１０の表示パネル面２１１に拡大されて表示される（画像１２０４または画像１２１４：横幅ｎ、高さｋ）場合である。
【００５６】
図１１（ａ）に示すようなサイズ（横：ｍ［画素］、高さｈ［画素］）のコンテンツ（画像１２０１）を、図１１（ｂ）、図１１（ｃ）のように左目用映像の画像１２０３および右目用映像の画像１２１３に配置する。
図１１（ｂ）において、画像１２０１が画像１２０３中の右下に配置された場合、横幅ｎ、高さｋのサイズで表示パネル面２１１に出力表示される（画像１２０４）。また図１１（ｃ）において、画像１２０１が画像１２１３中の右下に配置された場合、横幅ｎ、高さｋのサイズで表示パネル面２１１に出力表示される（画像１２１５）。ただし、３次元映像とするため、表示パネル面２１１の右端部から幅ｂだけ内側にずれる。この時、結像面１２０７に結像画像１２０６が横幅ｍで現れる。
図１１（ｂ）および図１１（ｃ）において、表示パネル面２１１から結像面１２０７までの距離（飛び出し量）がＸ、表示パネル面２１１からユーザ２３０の左目２３１および右目２３３までの距離（表示パネル面２１１から視聴位置１２０８までの距離：視聴距離）がＬである。
【００５７】
図１１（ｄ）は、表示パネル面２１１に配置されるすべての画像について、飛び出し制御を行う場合の補正の一般式を説明するための図である。
画像１２０１の横幅をｍ、表示パネル面２１１上の画像１２０１を反映した右目用画像１２１５の横幅をｎ、結像面１２０７での画像１２０６の横幅をｍ、表示パネル面２１１からユーザ２３０の左目２３１および右目２３３までの距離（視聴距離）をＬとし、表示パネル面２１１から結像面１２０７までの距離（飛び出し量）をＸ、左目２３１と右目２３３との距離をａとした場合に、相似図形の関係から以下の式（１）〜式（４）の関係がある。
Ｌ：（Ｌ−Ｘ）＝ｎ：ｍ                            ・・・式（１）
ｎ＝ｍ×Ｌ÷（Ｌ−Ｘ）＝ｍ×（１＋ｂ÷ａ）        ・・・式（２）
ｍ＝ｎ×（Ｌ−Ｘ）÷Ｌ＝ｎ×（１−ｂ÷（ａ＋ｂ）  ・・・式（３）
ｋ＝ｈ×ｎ÷ｍ                                    ・・・式（４）
このように、視聴距離Ｌと飛び出し距離Ｘを決定すれば、ずれ量ｂが算出でき、表示装置への拡大率ｍ：ｎも定める。また、ずれ量ｂを確定させれば、ユーザ２３０の視聴位置１２０８が変わっても、飛び出し量が変わるだけで、問題とならない。
【００５８】
図１２によって、本発明の別の実施例を説明する。図１２は、図１１がコンテンツ（画像１２０１）を拡大して表示パネル面２１１に配置されるのに対して、等倍で表示する場合に、表示パネル面２１１に表示される全画像について位置補正を行う場合の本発明の一実施例について説明する図である。また図１１と同様の事柄については特に説明しないが、図１１と同様である。図１２（ａ）は、２次元のコンテンツ（画像１２０１）を示す図である。図１２（ｂ）は、左目用映像についての補正を説明する図、図１２（ｃ）は右目用映像についての補正を説明する図である。図１２（ｄ）は、右目用映像と左目用映像のずれ幅ｂとユーザ２３０の視聴距離Ｌと表示装置からの飛び出し量Ｘとの関係について説明する図である。
図１２では、コンテンツ（画像１２０１：横幅ｍ０、高さｈ）が表示装置２１０の表示パネル面２１１に等倍で表示される（画像１３０４または画像１３１４：横幅ｍ０、高さｈ）場合である。
【００５９】
図１２（ａ）に示すようなサイズ（横：ｍ０［画素］、高さｈ［画素］）のコンテンツ（画像１２０１）を、図１２（ｂ）、図１２（ｃ）のように左目用映像の画像１３０３および右目用映像の画像１３１３に配置する。
図１２（ｂ）において、画像１２０１が画像１３０３中の右下に配置された（画像１３０４）場合、横幅ｍ０、高さｈのサイズで表示パネル面２１１に出力表示される（画像１３０５）。また図１２（ｃ）において、画像１２０１が画像１３１３中の右下に配置された（画像１３１４）場合、横幅ｍ０、高さｈのサイズで表示パネル面２１１に出力表示される（画像１３１５）。ただし、３次元映像とするため、表示パネル面２１１の右端部から幅ｂだけ内側にずれる。この時、結像面１３０７に結像画像１３０６が横幅ｍ’で現れる。
図１２（ｂ）および図１２（ｃ）において、表示パネル面２１１から結像面１３０７までの距離（飛び出し量）がＸ、表示パネル面２１１からユーザ２３０の左目２３１および右目２３３までの距離（視聴距離）がＬである。
【００６０】
図１２（ｄ）は、表示パネル面２１１に配置されるすべての画像について、飛び出し制御を行う場合の補正の一般式を説明するための図である。
画像１２０１の横幅をｍ０、表示パネル面２１１上の画像１２０１を反映した右目用画像１３１５の横幅をｍ０、結像面１３０７での画像１３０６の横幅をｍ’、表示パネル面２１１からユーザ２３０の左目２３１および右目２３３までの距離（視聴距離）をＬとし、表示パネル面２１１から結像面１３０７までの距離（飛び出し量）をＸとした場合に、図１２の等倍表示の場合の実施例では、相似図形の関係から以下の式（５）〜式（８）の関係がある。
Ｌ：（Ｌ−Ｘ）＝ｍ０：ｍ’                          ・・・式（５）
ｍ０＝ｍ’×Ｌ÷（Ｌ−Ｘ）＝ｍ’×（１＋ｂ÷ａ）    ・・・式（６）
ｍ’＝ｍ０×（Ｌ−Ｘ）÷Ｌ＝ｍ０×（１−ｂ÷（ａ＋ｂ）・・・式（７）
ｋ  ＝ｈ×ｍ０÷ｍ’                                ・・・式（８）
このように、視聴距離Ｌと飛び出し距離Ｘを決定すれば、ずれ量ｂが算出でき、表示装置への拡大率ｍ’：ｎも定める。
この結果、画像１２０１をリサイズすることなく、少し視差をつけることで演算量を少ない画像処理装置を実現することができる。
【００６１】
図１３によって、本発明の別の実施例を説明する。図１３は、図１１（ｄ）で説明したように、本発明の画像処理装置が、表示装置の表示パネル面の全画面について、３次元の画像とみなして位置補正をした場合の、表示された２次元の画像の取り扱いについて説明する図である。即ち、図１３は、表示装置２１０に出力され、表示された画像がすべて３次元表示モードで表示された場合の２次元の画像について補正する一実施例について説明する図である。図１３（ａ）は、２次元のコンテンツ（画像１４０１）を示す図である。図１３（ｂ）は、左目用映像についての補正を説明する図、図１３（ｃ）は右目用映像についての補正を説明する図である。
図１３は、２次元のコンテンツ（画像１４０１）、特に文字が表示される２次元コンテンツを等倍で表示する場合の一実施例について説明する図である。また図１１および図１２と同様の事柄については特に説明しないが、図１１若しくは図１２と同様である。図１３（ａ）は、２次元のコンテンツ（画像１４０１）を示す図である。図１３（ｂ）は、左目用映像についての補正を説明する図、図１３（ｃ）は右目用映像についての補正を説明する図である。
図１３では、コンテンツ（画像１４０１：横幅ｍ０、高さｈ）が表示装置２１０の表示パネル面２１１に等倍で表示される（画像１４０４または画像１４１４：横幅ｍ０、高さｈ）場合である。
【００６２】
図１３（ａ）に示すようなサイズ（横：ｍ０［画素］、高さｈ［画素］）のコンテンツ（画像１４０１）を、図１３（ｂ）、図１３（ｃ）のように左目用映像の画像１４０３および右目用映像の画像１４１３に配置する。
図１３（ｂ）において、画像１４０１が画像１４０３中の右下に配置された（画像１４０４）場合、横幅ｍ０、高さｈのサイズで表示パネル面２１１に出力表示される（画像１４０４）。
この時、図１１（ｄ）で算出したずれ量ｂ（または、図１２でのずれ量ｂ）によって、左目用画像１４０３中に表示された２次元の画像１４０４と、右目用画像１４１３中に表示された２次元の画像１４１４とは、ずれ量ｂだけずれている。このため視差がついている分、２次元の画像中の文字表示では、細かい大きさの文字や記号は、見えにくくなる。特に、１ドット〜数ドットで表示された文字や記号は、正しく表示されない。
そこで、図１３の実施例では、表示文字のフォント字体を太文字にするか若しくは１段階大きな大きさに変更して表示するようにしたものである。
この結果、３次元化した２次元の画像でも、文字を明瞭に視認することができる。
なお、図１１〜図１２で説明した、本発明の位置補正を実施しない場合においても、３次元の画像と２次元の画像が混在したマルチ画面をユーザが見る場合に、３次元の画像を見る視点で２次元の画像中若しくは３次元の画像中の文字や記号が、明瞭に視認できる。
【００６３】
図１４によって、本発明の別の実施例を説明する。図１４は、本発明の画像処理装置が、３次元の画像を表示装置の表示パネル面に表示する一実施例を説明する図である。即ち、図１４は、表示装置２１０に出力され、表示装置に表示された３次元の画像が、３次元で表示された場合の一実施例について説明する図である。図１４（ａ）は、３次元のコンテンツ（画像１２０１）を示す図である。図１４（ｂ）は、左目用映像についての補正を説明する図、図１４（ｃ）は右目用映像についての補正を説明する図である。
【００６４】
図１４において、横方向のサイズがｍ０、高さ方向のサイズがｈの３次元の画像１２０１は、画像処理装置によって、等倍で左目用映像の画像１３０３の画像中に配置されるように出力され、同様に、等倍で右目用映像の画像１５１３の画像中に配置されるように出力される。
図１４（ｂ）は、図１２（ｂ）と同様であるので説明を省略する。図１４（ｃ）は、３次元の画像１２０１を右目用映像の画像１５１４として画像１５１３に配置出力する場合に、左目用映像の画像１３０３と同じ位置に、画像１５１３として配置し、表示装置に出力する。
【００６５】
図１４の実施例によれば、入力された３次元の画像を等倍表示し、同一位置にはめ込む。即ち、好ましくは、図５で説明したような、奇数フレームの画像（例えば、左目用映像の画像）５０３と、偶数フレームの画像（例えば、右目用映像の画像）５０４とを、同一の画像で出力する。この結果、演算量を低減でき、制御も簡略化できる。
また、本発明では、３次元の画像として視聴者に知覚させるために、左右の目に視差をつけて立体映像化している。しかし、視聴者は表示装置に目のピントを合わせているものの、立体映像は表示装置の位置と異なる奥行きに物体があるように認識する為、視聴者は違和感を感じてしまい、表示装置そのものの解像度が得られない。図１４の実施例では、上記のように、本発明の一実施形態の画像処理装置は、表示装置の位置に映像が存在するように表示装置に出力する。この結果、表示装置は、表示装置本来の解像度が得られる。
図７のカーソルが当たっていない画像７１２のとき、画像７１２を図１４に示した表示を行い、図７のカーソルが当たっている画像７０８になったときには、画像７０８を図１１に示した表示を行うことで、画像７１２が飛び出した画像７０８となり、ユーザはカーソルが当たっているか否かを判断しやすくなる。このとき図１１に示したずれ量ｂを０から少しずつ大きくなるよう変化させ、一定値になると少しずつ小さくなるように変化させて飛び出しのアニメーションを行ってもよい。
【００６６】
図１５によって、本発明の画像処理装置の別の実施例の構成を説明する。図１５は、本発明の画像処理装置の一実施例の構成を示すブロック図である。図１５の画像処理装置１６１０の構成は、図４の構成に比して、重ね合わせ処理部４１５の替わりに重ね合わせ処理部１６１５を用い、重ね合わせ処理部１６１５の後段に、倍速処理部１６１６および補正処理部１６１７とを設けたものである。また、制御部１６１１は、制御部４１１とは、ＦＰＧＡ部の制御処理部の構成、若しくはＣＰＵ内のソフトウェアプログラムが異なる。
【００６７】
図１５において、制御部１６１１は、ユーザ操作部４５１の制御に応じて、画像処理装置４１１の処理動作としてあらかじめ記憶されたソフトウエアに従って画像処理装置１６１０の各機器と相互にアクセスし、画像処理装置１６１０の各機器を制御する。
重ね合わせ処理部１６１５には、画像処理部４１２および４１３から、それぞれ、入力された映像が入力される。重ね合わせ処理部は、画像処理部４１２および画像処理部４１３を介して入力された映像信号を、表示位置処理部４１４から入力された表示位置の情報に基づいて、重ね合わせ、倍速処理部１６１６に出力する。
倍速処理部１６１６は、重ね合わせ処理部１６１５から入力された左目用映像の画像と右目用映像の画像とをそれぞれ、２倍速で、補正処理部１６１７に出力する。若しくは、倍速処理部１６１６は、重ね合わせ処理部１６１５から入力された左目用映像の画像と右目用映像の画像とをそれぞれ、それら２つの映像データの間に、黒色画像を挿入しながら例えば、４倍速で、補正処理部１６１７に出力する。
補正処理部１６１７は、図７〜図１４で説明した補正の少なくともいずれかを実行し、表示装置４７１に表示するために出力する。
【００６８】
この結果、視聴者が見易く、目の疲労が少ない画像を表示装置が表示することが可能な画像処理装置を提供することができる。
なお、図７〜図１０で説明し表示切り替えは、制御部１６１１の制御に応じて、重ね合わせ処理部１６１５で実行するようにしても良い。
【００６９】
以上、本発明を実施例によって詳細に説明した。しかし、本発明は、上述の実施例に限定されるわけではなく、本発明が属する技術分野において、通常の知識を有する者であれば、本発明の思想と精神に基づいて、本発明を修正若しくは変更できる発明が含まれることは勿論である。
【符号の説明】
【００７０】
１００：平面型表示装置、  １１０：表示パネル面、  １２０：ベゼル、  １３０：背面カバー、  １４０：中心線、  ２１０：表示装置、  ２１１：表示パネル面、  ２３０：鑑賞者（視聴者またはユーザ）、  ２３１：左目、  ２３３：右目、  ２４０：立体視中心ライン、  ２５０：結像位置ａ、  ２５１：左目用映像表示位置ａ、  ２５３：右目用映像表示位置ａ、  ２７０：結像位置ｂ、  ２７１：左目用映像表示位置ｂ、  ２７３：右目用映像表示位置ｂ、  ３３０：鑑賞者（視聴者またはユーザ）、  ３３１：左目、  ３３３：右目、  ３５０：結像位置ａ’、  ３７０：結像位置ｂ’、  ４１０：画像処理装置、  ４１１：制御部、  ４１２、４１３：画像処理部、  ４１４：表示位置処理部、  ４１５：重ね合わせ処理部、  ４５１：ユーザ操作部、  ４５２：第一映像信号源、  ４５３：第二映像信号源、  ４７１：表示装置、  ５０１、５０３：左目用映像、  ５０２：右目用映像、  ６００：操作パネル、  ６０１：電源ボタン、  ６０２：数字キー、  ６０３：３Ｄ／２Ｄ切替ボタン、  ６０４：ＣＥＮＴＥＲボタン、  ６０５：カーソル位置移動ボタン、  ６０６：ＭＥＮＵボタン、  ６０７：マルチ画面切替ボタン、  ６０８：ＣＨ切替ボタン、  ６０９：ＶＯＬボタン、  １６１１：制御部、  １６１５：重ね合わせ処理部、  １６１６：倍速処理部、  １６１７：補正処理部。
【図１】
2011182075.tif 000003
【図２】
2011182075.tif 000004
【図３】
2011182075.tif 000005
【図４】
2011182075.tif 000006
【図５】
2011182075.tif 000007
【図６】
2011182075.tif 000008
【図７】
2011182075.tif 000009
【図８】
2011182075.tif 000010
【図９】
2011182075.tif 000011
【図１０】
2011182075.tif 000012
【図１１】
2011182075.tif 000013
【図１２】
2011182075.tif 000014
【図１３】
2011182075.tif 000015
【図１４】
2011182075.tif 000016
【図１５】
2011182075.tif 000017
【手続補正書】
【提出日】平成22年3月11日(2010.3.11)
【手続補正１】
【補正対象書類名】図面
【補正対象項目名】全図
【補正方法】変更
【補正の内容】
【図１】
2011182075.tif 000018
【図２】
2011182075.tif 000019
【図３】
2011182075.tif 000020
【図４】
2011182075.tif 000021
【図５】
2011182075.tif 000022
【図６】
2011182075.tif 000023
【図７】
2011182075.tif 000024
【図８】
2011182075.tif 000025
【図９】
2011182075.tif 000026
【図１０】
2011182075.tif 000027
【図１１】
2011182075.tif 000028
【図１２】
2011182075.tif 000029
【図１３】
2011182075.tif 000030
【図１４】
2011182075.tif 000031
【図１５】
2011182075.tif 000032
【手続補正書】
【提出日】平成22年10月25日(2010.10.25)
【手続補正１】
【補正対象書類名】明細書
【補正対象項目名】０００７
【補正方法】変更
【補正の内容】
【０００７】
上記図３に示す従来技術で説明したように、視聴者が立体視中心ラインからずれた位置から見た場合には、視聴者は不自然な３次元映像が見える。
また、近年、１つの表示パネル面に、複数の放送番組等、複数の映像源から入力された映像を選択して、マルチ画面表示で見ることが多くなった。
そして、３次元の画像が複数表示されることに対して、それらの画像が別々の立体視中心ラインを有する場合も出てきた。この場合、視聴者は、いずれかまたはすべての３次元の画像が不自然なものに見えてしまう問題がある。
特許文献１には、２次元または３次元を表示する表示システムにおいて、表示モードが２次元から３次元、あるいは、その逆に変わるときに、画像の表示前に駆動モードを変更する記載がある。しかし、２次元と３次元の画像を同じ画面に表示していない。
本発明の目的は、上記のような問題に鑑み、３次元の画像と２次元の画像と同時にマルチ画面で表示可能な画像処理装置において、視聴者が見易く、目の疲労が少ない画像を表示装置が表示することが可能な画像処理装置を提供することにある。
【手続補正２】
【補正対象書類名】明細書
【補正対象項目名】００４２
【補正方法】変更
【補正の内容】
【００４２】
また画像８１７の表示状態は、画像８１８が片ＣＨ（画像８１２）から両ＣＨ表示に切替わり、３次元の画像となっている。同様に、画像８１９が片ＣＨ（画像８１１）から両ＣＨ表示に切替わり、３次元の画像となっている。
さらに、３次元の画像８１８と３次元の画像８１９の表示は、共に、画像８１７の横方向の中心に縦（上下方向）に並ぶように配置される。好ましくは、３次元の画像８１８の立体視の中心ラインと、３次元の画像８１９の立体視の中心ラインが一致するように配置される。一致とは、例えば視聴者の左目と右目の間隔の個体差程度のずれ量程度である。また好ましくは、上記画像８１７では、どちらか一方の３次元の画像８１８または８１９の周囲の枠をデコレーション表示する。この選択は、視聴者のユーザ操作（カーソル位置移動ボタン６０５の下移動ボタン押下等）によって、切替えることができる。
この表示状態で、視聴者のユーザ操作（３Ｄ／２Ｄ切替ボタン６０３押下）によって、矢印８２１に示すように、画像８１０の表示モード（２次元表示モード（３））に切替わる。
【手続補正３】
【補正対象書類名】明細書
【補正対象項目名】００５５
【補正方法】変更
【補正の内容】
【００５５】
図１１によって、本発明の別の実施例を説明する。図１１は、表示パネル面２１１に表示される全画像について位置補正を行う場合の一実施例について説明する図である。また図１１は、２次元のコンテンツ（画像１２０１）を拡大して表示パネル面２１１に配置する場合の一実施例である。さらに図１１は、２次元のコンテンツに視差を付ける事で３次元の映像とし、結像位置が表示パネル面２１１とユーザ２３０の間にある場合である。なお、左方向の映像表示位置の補正は、表示パネル面２１１と目を左右対称に考えることで実施可能である。図１１（ａ）は、２次元のコンテンツ（画像１２０１）を示す図である。図１１（ｂ）は、左目用映像についての補正を説明する図、図１１（ｃ）は右目用映像についての補正を説明する図である。図１１（ｄ）は、右目用映像と左目用映像のずれ量ｂとユーザ２３０の視聴距離Ｌと表示装置からの飛び出し量Ｘとの関係について説明する図である。
図１１では、コンテンツ（画像１２０１：横幅ｍ、高さｈ）が表示装置２１０の表示パネル面２１１に拡大されて表示される（画像１２０４または画像１２１４：横幅ｎ、高さｋ）場合である。
【手続補正４】
【補正対象書類名】明細書
【補正対象項目名】００５６
【補正方法】変更
【補正の内容】
【００５６】
図１１（ａ）に示すようなサイズ（横：ｍ［画素］、高さｈ［画素］）のコンテンツ（画像１２０１）を、図１１（ｂ）、図１１（ｃ）のように左目用映像の画像１２０３および右目用映像の画像１２１３に配置する。
図１１（ｂ）において、画像１２０１が画像１２０３中の右下に配置された場合、横幅ｎ、高さｋのサイズで表示パネル面２１１に出力表示される（画像１２０４）。また図１１（ｃ）において、画像１２０１が画像１２１３中の右下に配置された場合、横幅ｎ、高さｋのサイズで表示パネル面２１１に出力表示される（画像１２１４）。ただし、３次元映像とするため、表示パネル面２１１の右端部から幅ｂだけ内側にずれる。この時、結像面１２０７に結像画像１２０６が横幅ｍで現れる。
図１１（ｂ）および図１１（ｃ）において、表示パネル面２１１から結像面１２０７までの距離（飛び出し量）がＸ、表示パネル面２１１からユーザ２３０の左目２３１および右目２３３までの距離（表示パネル面２１１から視聴位置１２０８までの距離：視聴距離）がＬである。
【手続補正５】
【補正対象書類名】明細書
【補正対象項目名】００５７
【補正方法】変更
【補正の内容】
【００５７】
図１１（ｄ）は、表示パネル面２１１に配置されるすべての画像について、飛び出し制御を行う場合の補正の一般式を説明するための図である。
画像１２０１の横幅をｍ、表示パネル面２１１上の画像１２０１を反映した右目用画像１２１５の横幅をｎ、結像面１２０７での画像１２０６の横幅をｍ、表示パネル面２１１からユーザ２３０の左目２３１および右目２３３までの距離（視聴距離）をＬとし、表示パネル面２１１から結像面１２０７までの距離（飛び出し量）をＸ、左目２３１と右目２３３との距離をａとした場合に、相似図形の関係から以下の式（１）〜式（４）の関係がある。
Ｌ：（Ｌ−Ｘ）＝ｎ：ｍ                            ・・・式（１）
ｎ＝ｍ×Ｌ÷（Ｌ−Ｘ）＝ｍ×（１＋ｂ÷ａ）        ・・・式（２）
ｍ＝ｎ×（Ｌ−Ｘ）÷Ｌ＝ｎ×（１−ｂ÷（ａ＋ｂ））  ・・・式（３）
ｋ＝ｈ×ｎ÷ｍ                                    ・・・式（４）
このように、視聴距離Ｌと飛び出し距離Ｘを決定すれば、ずれ量ｂが算出でき、表示装置への拡大率ｍ：ｎも定める。また、ずれ量ｂを確定させれば、ユーザ２３０の視聴位置１２０８が変わっても、飛び出し量が変わるだけで、問題とならない。
【手続補正６】
【補正対象書類名】明細書
【補正対象項目名】００５８
【補正方法】変更
【補正の内容】
【００５８】
図１２によって、本発明の別の実施例を説明する。図１２は、図１１がコンテンツ（画像１２０１）を拡大して表示パネル面２１１に配置されるのに対して、等倍で表示する場合に、表示パネル面２１１に表示される全画像について位置補正を行う場合の本発明の一実施例について説明する図である。また図１１と同様の事柄については特に説明しないが、図１１と同様である。図１２（ａ）は、２次元のコンテンツ（画像１２０１）を示す図である。図１２（ｂ）は、左目用映像についての補正を説明する図、図１２（ｃ）は右目用映像についての補正を説明する図である。図１２（ｄ）は、右目用映像と左目用映像のずれ量ｂとユーザ２３０の視聴距離Ｌと表示装置からの飛び出し量Ｘとの関係について説明する図である。
図１２では、コンテンツ（画像１２０１：横幅ｍ０、高さｈ）が表示装置２１０の表示パネル面２１１に等倍で表示される（画像１３０４または画像１３１４：横幅ｍ０、高さｈ）場合である。
【手続補正７】
【補正対象書類名】明細書
【補正対象項目名】００６０
【補正方法】変更
【補正の内容】
【００６０】
図１２（ｄ）は、表示パネル面２１１に配置されるすべての画像について、飛び出し制御を行う場合の補正の一般式を説明するための図である。
画像１２０１の横幅をｍ０、表示パネル面２１１上の画像１２０１を反映した右目用画像１３１５の横幅をｍ０、結像面１３０７での画像１３０６の横幅をｍ’、表示パネル面２１１からユーザ２３０の左目２３１および右目２３３までの距離（視聴距離）をＬとし、表示パネル面２１１から結像面１３０７までの距離（飛び出し量）をＸとした場合に、図１２の等倍表示の場合の実施例では、相似図形の関係から以下の式（５）〜式（８）の関係がある。
Ｌ：（Ｌ−Ｘ）＝ｍ０：ｍ’                          ・・・式（５）
ｍ０＝ｍ’×Ｌ÷（Ｌ−Ｘ）＝ｍ’×（１＋ｂ÷ａ）    ・・・式（６）
ｍ’＝ｍ０×（Ｌ−Ｘ）÷Ｌ＝ｍ０×（１−ｂ÷（ａ＋ｂ））・・・式（７）
ｋ  ＝ｈ×ｍ０÷ｍ’                                ・・・式（８）
このように、視聴距離Ｌと飛び出し距離Ｘを決定すれば、ずれ量ｂが算出でき、表示装置への拡大率ｍ’：ｎも定める。
この結果、画像１２０１をリサイズすることなく、少し視差をつけることで演算量を少ない画像処理装置を実現することができる。
【手続補正８】
【補正対象書類名】図面
【補正対象項目名】図１
【補正方法】変更
【補正の内容】
【図１】
2011182075.tif 000033